【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
排水口と離間した位置に配設された操作部からレリースワイヤを介してその作動部に操作を伝達し、該作動部に継続して排水口を開閉する排水栓が操作される排水栓装置において、作動部を排水口に支持する固定クランプが、作動部を挟持係止する軸受部と、該軸受部を排水口に嵌着係止して支持する曲帯部と、軸受部より曲帯部に連結する架橋部とでなり、軸受部は、下から軸方向へ少なくとも２本のスリットが上端を少し残して刻設され、作動部を下から軸方向へ押し開く状態で挿入して挟持し、軸受部の内周面には、突部が形成されて、作動部との相互の係合をして作動部の上下動が係止されることを特徴とする遠隔操作式排水栓装置のレリースワイヤ支持部材。
【請求項２】
軸受部は、下から軸方向へ対称位置にある４本のスリットが上端を少し残して刻設され、作動部を下から軸方向へ挿込んで挟持することを特徴とする請求項１記載の遠隔操作式排水栓装置のレリースワイヤ支持部材。
【請求項３】
軸受部は、内周面に突部が形成され、更に、少なくとも軸受部の下端部にも形成されていることを特徴とする請求項１乃至２のいずれか１項に記載の遠隔操作式排水栓装置のレリースワイヤ支持部材。
【請求項４】
軸受部は、下から軸方向へスリットが上端を少し残して刻設され、軸受部の架橋部連結部位近傍内周面には、突部が形成されて、作動部を下から軸方向へ押し開く状態で挿入して挟持し、突部が作動部との相互の係合をして作動部の上下動が係止されることを特徴とする請求項１乃至３のいずれか１項に記載の遠隔操作式排水栓装置のレリースワイヤ支持部材。
【請求項５】
曲帯部は、この下端にストッパー係合部が形成され、且つ排水口内周面には、それらストッパー係合部を係合する係合溝が刻設されるとともに曲帯部下端を係止する凸部が形成され、曲帯部下端が前記凸部に係止するとともにストッパー係合部が前記係合溝に係合して軸方向及び周方向の動きを阻止することを特徴とする請求項１乃至４のいずれか１項に記載の遠隔操作式排水栓装置のレリースワイヤ支持部材。
【請求項６】
固定クランプが、排水口よりストッパー係合部の係合を外して脱する為に、曲帯部のストッパー係合部位置の外側面に治具の脚が挿し込まれる治具挿入溝を形成することを特徴とする請求項５記載の遠隔操作式排水栓装置のレリースワイヤ支持部材。
【請求項７】
レリースワイヤを介して排水口より離間した位置の操作部から操作される作動部が排水口上に下方から挿出され、作動部が、軸受部と、架橋部と、曲帯部とでなる固定クランプのこの軸受部に下方から軸方向へ挿込まれ、この軸受部には、下から軸方向へ少なくとも２本のスリットが上端を少し残して刻設され、内周面に突部が形成されているので、作動部を挿込むことによって、押し開き、挟持して上下動しないように係止し、作動部を挟持係止した固定クランプは、排水口に嵌着させ、その曲帯部の下端が排水口内周面に形成された凸部に係止されるとともに曲帯部の下端に形成されたストッパー係合部が排水口内周面に設けられた係合溝に係合されて固定クランプの上下動及び周方向の動きを阻止することを特徴とする遠隔操作式排水栓装置のレリースワイヤ支持部材の施工方法。
【請求項８】
施工された遠隔操作式排水栓装置のレリースワイヤ支持部材の固定クランプを排水口より脱するために、曲帯部のストッパー係合部位置の外側面に形成された治具挿入溝に治具の脚を挿込み、該治具の脚の押圧でストッパー係合部の係合が外されるとともに、治具の脚に形成された掛合部を治具挿入溝に形成された掛合受部に掛合し、治具を排水口より引き上げるときにチャックして、共に固定クランプをも排水口より抜き出せることを特徴とする請求項７記載の遠隔操作式排水栓装置のレリースワイヤ支持部材の施工方法。
【手続補正２】
【補正対象書類名】明細書
【補正対象項目名】全文
【補正方法】変更
【補正の内容】
【発明の詳細な説明】
【発明の名称】遠隔操作式排水栓装置のレリースワイヤ支持部材、及びその施工方法
【技術分野】
【０００１】  本発明は、排水口と離間した位置に配設された操作部からレリースワイヤを介してその作動部に操作を伝達し、該作動部に継続する排水栓が操作されて排水口を開閉する遠隔操作式排水栓装置のレリースワイヤ支持部材に係わるものであり、またその施工方法に係わるものである。
【背景技術】
【０００２】  遠隔操作式排水栓装置は、排水栓の開閉が、この排水口と離間した位置に配設された操作部からレリースワイヤを介してその作動部に操作が伝達され、行なわれるものであって、該作動部は、排水口に支持され、排水栓に継続されているものである。【０００３】  そして、この遠隔操作式排水栓装置を施工するに当たっては、作動部を排水口下方より挿込み、作動部を排水口に支持し、その上で排水栓に継続していた。【０００４】  そこで、作動部を排水口に支持するため、排水口内に設けられた支持部材の軸受部に作動部を挿入し、上下方向の動きを阻止するために、軸受部にストッパー係止部、及びＥリング状係止具などで係止固定していた。（特許文献１参照）【０００５】  また、レリースワイヤ端部に形成された作動部が支持部材である固定クランプに差し込まれ、排水口に支持されるものがある。
この固定クランプは、軸受部と、曲帯部と、これらに架橋される架橋部とでなるものを２分割し、この半体同士を曲帯部におけるヒンジで結合し、作動部が軸受部の横または径方向から差し込み、ヒンジによる結合で挟持させられ、この作動部を挟持した固定クランプが排水口に挿入され、排水口にその曲帯部が嵌着支持されて固定するものであった。（特許文献２参照）【０００６】
【特許文献１】  特開平１０−１２１５３７
【特許文献２】  特開２００４−３００８４１
【発明の開示】
【発明が解決しようとする課題】
【０００７】  ところが、排水口と離間した位置に配設された操作部での操作がレリースワイヤを介して伝達され、この伝達を受けて作動する作動部が排水口に位置支持され、該作動部に継続する排水栓で排水口を開閉する遠隔操作式排水栓装置にあっては、作動部が排水口に支持部材などで支持されているが、この支持部材には、作動部を排水口の下方から挿入し、支持部材の軸受部にストッパー係止部、及びＥリング状径止具などを用いて係止させていたが、係止構造が緻密で、その上、狭い排水口内での組立、分解などの工事作業が簡単且つ容易でなかった。（特許文献１参照）【０００８】  そこで、組立、分解などの工事作業が少しでも簡単且つ容易にできるように、固定クランプを用い、作動部の排水口への支持部材とする。
この固定クランプは、分割され、その半体同士をヒンジ結合するものであって、レリースワイヤ端部の作動部を挟持し、排水口に支持させるものである。
この固定クランプを用いることによって作動部が挟持され、排水口への支持を一応は、容易且つ簡単にできるようにみえたが、この固定クランプは、半体同士が曲帯部でのヒンジ結合であるので、作動部の固定クランプによる挟持が、軸受部の横又は径方向からの差し込みで行われなければならず、そのため、このヒンジ結合による固定クランプ半体での挟持の開閉開度が大きくなり、狭い排水口付近での工事作業には支障をきたし、まして、ワンタッチの組立、分解を困難にし、よって、工事作業が容易、且つ簡単にできるものでなかった。【０００９】  そこで、本発明は、以上の課題を解決するために、遠隔操作式排水栓装置が施工されるに当たって、そのレリースワイヤ端部の作動部を排水口に支持するのに狭い排水口付近の状態であっても、簡単、且つ容易に挟持係止が行えうる固定クランプのレリースワイヤ支持部材を得ることにある。
【課題を解決するための手段】
【００１０】    本発明の遠隔操作式排水栓装置のレリースワイヤ支持部材は、作動部を排水口に支持する固定クランプが、作動部を挟持係止する軸受部と、該軸受部を排水口に嵌着係止して支持する曲帯部と、軸受部より曲帯部に架橋する架橋部とでなり、軸受部は、下から軸方向へ少なくとも２本のスリットが上端を少し残して刻設され、作動部を下から軸方向へ押し開き状態で挿入して挟持し、軸受部の内周面には突部が形成されて、作動部との相互の係合をして作動部の上下動が係止されることを特徴とするものである。【００１１】  本発明の遠隔操作式排水栓装置のレリースワイヤ支持部材の軸受部は、下から軸方向へ対称位置にある４本のスリットが上端を少し残して刻設され、作動部を下から軸方向へ挿込んで挟持することを特徴とするものである。【００１２】  本発明の遠隔操作式排水栓装置のレリ−スワイヤ支持部材の軸受部は、内周面に突部が形成され、更に、少なくとも軸受部の下端部にも形成されていることを特徴とするものである。【００１３】  本発明の遠隔操作式排水栓装置のレリースワイヤ支持部材の軸受部は、下から軸方向へスリットが上端を少し残して刻設され、軸受部の架橋部連結部位近傍内周面には、突部が形成されて、作動部を下から軸方向へ押し開く状態で挿入して挟持し、突部が作動部との相互の係合をして作動部の上下動が係止されることを特徴とするものである。【００１４】  本発明の遠隔操作式排水栓装置のレリースワイヤ支持部材である固定クランプは、曲帯部には、この下端にストッパー係合部が形成され、且つ排水口内周面には、それらストッパー係合部を係合する係合溝が刻設されるとともに曲帯部下端を係止する凸部が形成され、曲帯部下端が前記凸部に係止するとともにストッパー係合部が前記係合溝に係合して軸方向及び周方向の動きを阻止するものである。【００１５】  そして、本発明の遠隔操作式排水栓装置のレリースワイヤ支持部材は、固定クランプが、排水口よりストッパー係合部の係合を外して排水口より脱する為に、曲帯部のストッパー係合部位置の外側面に治具の脚が挿入される治具挿入溝を形成するものである。【００１６】  また、本発明の遠隔操作式排水栓装置のレリースワイヤ支持部材の施工方法は、レリースワイヤを介して排水口より離間した位置の操作部から操作される作動部が排水口上に下方から挿出され、作動部が、軸受部と、架橋部と、曲帯部とでなる固定クランプのその軸受部に下方から軸方向へ挿込まれ、この軸受部には、下から軸方向へ少なくとも２本のスリットが上端を少し残して刻設され、内周面に突部が形成されているので、作動部を挿込むことによって押し開き、挟持して上下動しないように係止し、作動部を挟持係止した固定クランプは、排水口に嵌着させ、その曲帯部の下端が排水口内周面に形成された凸部に係止されるとともに曲帯部の下端に形成されたストッパー係合部が排水口内周面に設けられた係合溝に係合されて固定クランプの上下動及び周方向の動きを阻止する施工方法である。【００１７】  そして、本発明の遠隔操作式排水栓装置のレリースワイヤ支持部材の施工方法は、施工されたレリースワイヤ支持部材の固定クランプを排水口より脱するために、曲帯部のストッパー係合部位置の外側面に形成された治具挿入溝に治具の脚を挿込み、係合が外されるとともに治具の脚に形成された掛合部を治具挿入溝に形成された掛合受部に掛合し、治具を排水口より引き上げるときにチャックして、共に固定クランプをも排水口より抜き出せる方法である。
【発明の効果】
【００１８】  本発明は、排水口と離間した操作部からレリースワイヤを介して操作が伝達されるその作動部を排水口下方より挿込んで排水口に支持するのにレリースワイヤ支持部材の固定クランプが用いられ、この固定クランプが軸受部と曲帯部と架橋部とでなり、軸受部には下から軸方向へ少なくとも２本のスリットが上端を少し残して刻設されているため、作動部を下方から軸方向へ軸受部に挿込み、スリットによって上端のスリットの刻設が残された部分を支点として軸受部が押し開かれるので作動部を押し込むことができ、ワンタッチで、且つ容易に挟持係止することができる。そして、作動部を軸受部に挟持係止した固定クランプは、その曲帯部を排水口にスナップ嵌込みで容易に係合係止し、支持固定できる。
作動部の軸受部によっての挟持は、その外側を曲帯部の排水口への嵌込みで架橋部を介して固定されるので弛緩なくできる。
また、排水口付近の狭いところであっても、作動部が軸受部を軸方向へ押し開いての挿し込み、そしてワンタッチで挟持できるので、容易且つ簡単な作業ができる。【００１９】  本発明の固定クランプの軸受部は、下方から軸方向へ対称位置にある４本のスリットが上端を少し残して刻設されるものであって、スリットの数が増す程、軸受部は下方から軸方向への作動部の挿込みが押し開き易くなり、ワンタッチ作業がし易くできる。しかし、スリット数が増し過ぎると作動部を挟持する軸受部の強度に不足をきたすことになる。【００２０】  本発明の固定クランプの軸受部は、内周面に突部が形成され、更に、少なくとも軸受部の下端部にも形成されているので、作動部を下から軸方向へ押し開く状態で挿入して、突部が作動部との相互の係合を確固たるものにして、作動部の上下動が確実に係止されることになる。【００２１】  本発明の固定クランプは、軸受部の架橋部連結部位近傍内周面に突部が形成され、該突部によって、軸受部による作動部の挟持が作動部との相互係合されることになって、作動部の上下動を阻止し、そして、突部が架橋部連結部位近傍内周面に形成されているので、作動部の軸受部への軸方向の挿し込みによる押し開きが容易にでき、作動部の軸受部での挟持の際には、構造上の強度を得ることができ、作動部の軸受部による挟持係合が確実にでき、作動部の排水口への支持が堅固にできる。【００２２】  本発明のレリースワイヤ支持部材は、作動部が排水口に支持されのに作動部を挟持する固定クランプの軸受部が排水口に支持される。これに当たって、曲帯部をその下端のストッパー係合部と排水口内周面の係合溝との係合、及び曲帯部の下端と排水口内周面の凸部との係止によって、固定クランプの排水口への上下動、及び周方向の動きを阻止し、堅実に支持固定することができ、軸受部への作動部の挟持を確実にすることができる。【００２３】  本発明の遠隔操作式排水栓装置のレリースワイヤ支持部材の固定クランプは、曲帯部がそのストッパー係合部位置の外周面に治具挿入溝を形成しているので、その治具挿入溝に治具の脚を挿込めば、曲帯部の排水口への係合が外れ、排水口より脱することができ、簡単、且つ容易に分解をすることができ、合理的な工事作業ができる。【００２４】  本発明の遠隔操作式排水栓装置のレリースワイヤ支持部材の施工方法は、固定クランプの軸受部が下から軸方向へ少なくとも２本のスリットが上端を少し残して刻設され、内周面に突部が形成されているので、排水口上に下方から挿出された作動部が固定クランプの軸受部に下方から軸方向へ、いとも簡単、且つ容易に挿込み、挟持係止することができ、この挟持係止が、曲帯部を排水口に嵌着することにより堅固な固定をし、作動部を挟持した固定クランプの排水口への支持組立がされることになる。
また、排水口より固定クランプを分解するには、曲帯部の治具挿入溝に治具の脚を挿込み、ストッパー係合部の係合を外し、治具の脚に形成された掛合部を治具挿入溝に形成された掛合受部に掛合し、治具にチャックされた固定クランプはともに排水口より脱することができる。
よって、レリースワイヤ支持部材の固定クランプの排水口への組立、分解のこの工事作業方法は手間をかけず、簡単かつ容易にできることになる。したがって、メンテナンスを行い易いという利点がある。
【発明を実施するための形態】
【００２５】  本発明は、排水口と離間した位置に配設された操作部からレリースワイヤを介してその作動部に操作を伝達し、該作動部に継続して排水口を開閉する排水栓が操作される排水栓装置において、作動部を排水口に強固に支持固定し、しかも狭い排水口付近であるにもかかわらず、ワンタッチで、簡単、且つ容易にできるようにすることである。
【実施例１】
【００２６】  これらを図示に基いて説明すると、図１は、作動部４が排水口１に固定クランプ５であるレリースワイヤ支持部材によって支持されていることを示すものである。排水口１を開閉する排水栓２は、操作部からの操作がレリースワイヤを介して作動部４に伝達され、それに継続の支持軸４１が上下動され、排水栓２を昇降させる。
作動部４を排水口１に簡単、且つ容易に、しかも強固に支持させるには、作動部４が固定クランプ５に挟持係止され、該固定クランプ５を排水口１に嵌着係止し、支持固定することにある。【００２７】  固定クランプ５は、図２、３、４、５で示す如く、作動部４を挟持係止する軸受部５１と、排水口１に嵌着係止する曲帯部５２と、軸受部５１より曲帯部５２に架橋する架橋部５３とでなり、軸受部５１が、下から軸方向へ少なくとも２本のスリット５４を刻設し、上端にスリットの刻設をせずに少し残す部分５４１が設けられる。軸受部５１によって、排水口１上に下方から挿出された作動部４を固定クランプ５の軸受部５１に下方から軸方向へ挿込むことによって挟持する。この挟持に当たっては、軸受部５１が上端のスリットの刻設されない部分５４１を支点として押し開かれ、作動部４が挿込まれ、挿込むと閉ざされて挟持することになる。【００２８】  軸受部５１は、架橋部連結部位近傍内周面には突部５５の係止部が形成されて作動部４の中間環状溝４２に係合し、また、下端部内周面にも突部５６の係止部が形成されて作動部４の下端部４３を係止し、軸受部５１による作動部４の挟持によって、軸受部内周面の突部５５、５６と作動部４の中間環状溝４２、及び下端部４３との相互係合係止ができ、作動部の上下動を阻止する固定ができることになる。
なお、軸受部の突部５５、５６である係止部と作動部の中間環状溝４２、及びその下端部４３との相互係合係止は、これに限定されることなく係合をし、上下動の阻止ができるものであればよい。
よって、軸受部内周面、又は作動部表面のいずれかに係合できる突部を形成すればよいことになる。【００２９】  曲帯部５２には、下端にストッパー係合部５８を形成し、該ストッパー係合部位上部に治具の脚のガイド切欠部５９１を形成する。そして、排水口１内周面には、ストッパー係合部５８を係合する係合溝１３が刻設されるとともに曲帯部５２下端を係止する凸部１４が形成される。よって、固定クランプ５がストッパー係合部５８を排水口１の係合溝１３に係合するのに相互して、曲帯部５２の下端を凸部１４に係止することによって、軸方向及び周方向への動きを阻止することになって、強固な固定ができる。【００３０】  遠隔操作式排水栓装置は、排水口と離間した位置に配設された操作部の操作で排水口１の開閉が排水栓２の昇降作動で行なわれるが、この操作はレリースワイヤ３を介して伝達される。そこで、そのレリースワイヤ支持部材の施工をするには、図６に示す如く、該レリースワイヤ３に継続の作動部４を、先ずは、排水口１下方より挿込み、排水口１上に挿出したところで、レリースワイヤ支持部材の固定クランプ５に挟持係止させる。
固定クランプ５は。軸受部５１が下から軸方向へ少なくとも２本のスリット５４を刻設し、上端を少しスリットの刻設されない部分５４１が残されているので、作動部４をその軸受部５１の下から挿入するに当たって、軸受部５１は、スリットの刻設されない部分５４１を支点とし、スリット５４が押し開かれ、作動部４を挿し込み挟持する。挟持に当たって、軸受部５１の内周面には、架橋部連結部位及び下端部に突部５５、５６が形成され、作動部４の中間環状溝４２、及び下端部４３に相互係合し、上下動しない安定した挟持が簡単且つ容易にワンタッチでできる。（図６−１）
なお、スリット５４の下方部分には、挟持の均衡を保つためのストッパー部５７、５７が形成されている。【００３１】  作動部４を挟持係止したレリースワイヤ支持部材の固定クランプ５は、排水口１内へ挿込まれ、作動部４の軸受部５１による挟持支持を堅固に固定する。それには、曲帯部５３の下端に形成されたストッパー係合部５８をもって、排水口１の内周面に刻設された係合溝１３に係合し、且つ曲帯部５３の下端を排水口１の内周面に形成された凸部１４へ係止させることによって、排水口１に固定クランプ５を強固かつワンタッチに係合係止することができる。（図６−２）【００３２】  その上で、作動部４を排水栓２に挿込み、作動部の支持軸４１を排水栓２の栓蓋２１に接合する。（図６−３）
【実施例２】
【００３３】  作動部４が排水口１に支持される他の実施例であるレリースワイヤ支持部材の固定クランプ５ａについて、図７、８で示す。
この固定クランプ５ａは、作動部４を挟持係止する軸受部５１ａと、該軸受部を排水口１に嵌着係止して支持する曲帯部５２ａと、軸受部５１ａより曲帯部５２ａに架橋する架橋部５３ａとでなり、軸受部５１ａは下から軸方向へ対称位置にある４本のスリット５４ａが上端を少し残して刻設され、作動部１を下から軸方向へ挿込んで挟持させる。
軸受部５１ａは、上端及び下端の内周面には、環状突起５５ａ、５６ａが形成され、作動部４の上端及び下端を係止し、作動部４の上下動を阻止する。
作動部４をこの固定クランプ５ａの軸受部５１ａに挟持するに当たっては、作動部４を軸受部５１ａの下方から軸方向へ挿込むと、軸受部５１ａの上端のスリットの刻設がされない部分５４１ａを支点として押し開かれ、作動部４が押込まれて軸受部で挟持され、環状突起５５ａ、５６ａによって上下動しないよう係止される。【００３４】  曲帯部５２ａは、軸受部５１ａのスリット５４ａ相互間部分に対応して、各々が、架橋部５３ａを介して放射状に架橋される。
そして、曲帯部５２ａの下端には、ストッパー係合部５８ａが下方へ延出され、排水口１の内周面に形成された係合溝１３に係合する。
なお、この係合とともに曲帯部５２ａの下端が排水口１の内周面に形成された凸部１４と係止して、この相互の係合係止によって曲帯部５２ａを排水口１にワンタッチで、径方向及び上下方向の動きのない確実な固定がされることになる。
【実施例３】
【００３５】  メンテナンスのために分解するに当たって、排水口１に嵌着された固定クランプ５、５ａの取り外しに際して、図９のような治具６を用いることができる。
治具６は、脚６１が二股脚を形成したものであって、この脚６１を図１０で示す如く、固定クランプ５の曲帯部５２の外周面に形成した治具挿入溝５９に挿込み、外側から脚６１によって曲帯部５２下端に形成されたストッパー係合部５８が内側へ押されて、排水口１の係合溝１３との係合が外される。
なお、曲帯部５２のガイド切欠部５９１は、治具６の脚６１を治具挿入溝５９へガイドする。
この治具６の脚６１が曲帯部５２の治具挿入溝５９へ挿込まれることによって、脚先端の掛合部６２を治具挿入溝５９の掛合受部５９２に掛合し、治具６を排水口１より引き上げるときにチャックして、共にレリースワイヤ支持部材の固定クランプ５を排水口より抜き出させることになる。
なお、治具６は、マイナスドライバーであってもよいことは云うまでもない。
そして、抜き出したレリースワイヤ支持部材の固定クランプは、排水口１による曲帯部５２への締結がないので、作動部４の引き抜きによる軸受部５１の開きで挟持を解除すれば、分解することができることになる。
【図面の簡単な説明】
【００３６】
【図１】  遠隔操作式排水栓装置の排水口の状態図である
【図２】  固定クランプの形態を示す断面図である
【図３】  固定クランプの上視図である
【図４】  固定クランプの下視図である
【図５】  固定クランプの側面視図である
【図６】  遠隔操作式排水栓装置のレリースワイヤ支持部材の施工状態図である
【図７】  他の実施例の固定クランプの形態を示す断面図である
【図８】  他の実施例の固定クランプの下視図である
【図９】  固定クランプを排水口の係合係止から解除するための治具の側断面図である
【図１０】  固定クランプを排水口の係合係止から解除する状態図である
【符号の説明】
【００３７】      １                排水口
１３              係合溝
１４              凸部
２                排水栓
２１              栓蓋
３                レリースワイヤ
４                作動部
４１              支持軸
４２              中間環状溝
５、  ５ａ        固定クランプ
５１、５１ａ      軸受部
５２、５２ａ      曲帯部
５３、５３ａ      架橋部
５４、５４ａ      スリット
５４１、５４１ａ  スリットの刻設がされない部分
５５              突部（架橋部連結部位内周面）
５６              突部（下端内周面）
５５ａ、５６ａ    環状突起
５７              ストッパー部
５８、５８ａ      ストッパー係合部
５９              治具挿入溝
５９１            ガイド切欠部
５９２            掛合受部
６                治具
６１              脚
６２              掛合部